(57)【要約】      （修正有）【課題】家庭の調理場から排出される食材等の生塵を、人手によるハンドル４０の操作だけで、回転と昇降を同時又は各別にさせて攪拌、処理し、生塵の発酵を促進、処理することができる構造が簡単、保守管理が容易で、しかも、底部の開放された既存の生塵処理槽にも実施できる、低コストの生塵処理装置を提供する。【解決手段】適度な外形の垂直リング状板２１の内側に、複数の垂直放射状アームを介して垂直中空基軸２２を連結した支持台２０の、垂直中空基軸２２から起立する垂直ガイド軸２６に、垂直リング状板２１の半径と同半径の攪拌フォーク３７付き放射状アーム３５を下部に備える、中空軸３１付き攪拌具３０を回転と昇降を可能に設けると共に、中空軸３１の頂部に、ハンドル軸４２の下部を係脱可能に連結する。【選択図】図１
0003148285.tif 000002
【実用新案登録請求の範囲】
【請求項１】
頂部に開放可能な蓋付き開口を、底部に開口をそれぞれ備える、適宜高さの裁頭円錐状又は裁頭多角錐状、若しくは円筒状又は多角筒状のコンポスタ（１０）内に、下部に起立状態確保手段（２０、１００、１００Ａ、１３０）を備える適宜高さの起立ガイド軸（２６、１０１、１０１Ａ、１３１）を配し、該起立ガイド軸（２６、１０１、１０１Ａ、１３１）の上部に、生塵攪拌具（３０、１１０）を備える中空軸（３１、１１１）を、回転可能又は回転及び昇降可能に設けると共に、該中空軸（３１、１１１）の頂部に、ハンドル（４０）の下部を、係止手段（４５）により係脱可能に連結したことを特徴とする生塵処理装置。
【請求項２】
前記コンポスタ（１０）内に配設する起立ガイド軸（２６、１０１、１０１Ａ、１３１）の高さを、当該コンポスタ（１０）の高さより低く構成したことを特徴とする請求項１記載の生塵処理装置。
【請求項３】
前記起立ガイド軸（２６、１０１、１０１Ａ、１３１）の下部に設けた起立状態確保手段（２０、１００、１００Ａ、１３０）により、当該起立ガイド軸（２６、１０１、１０１Ａ、１３１）の垂直状起立状態を確保可能にしたことを特徴とする請求項１または２の何れかに記載の生塵処理装置。
【請求項４】
前記生塵攪拌具（１１０）を、前記中空軸（１１１）の下部周りから放射状に伸びる攪拌板（１１５）として構成するとともに、該攪拌板（１１５）をその回転方向に対して適度に捻回させ、かつ、当該攪拌板（１１５）の回転方向前後縁の一側又は両側に切断刃（１１６、１１７）を構成したことを特徴とする請求項１から３の何れかに記載の生塵処理装置。
【請求項５】
前記起立ガイド軸（１０１、１０１Ａ、１３１）の起立状態確保手段（１００、１００Ａ、１３０）を、当該起立ガイド軸（１０１、１０１Ａ、１３１）の下部を取付ける穴（１０６、１０６Ａ、１３７）を中央部に備える適宜形状の金属板、硬質プラスチック板（１０５、１０５Ａ）又はコンクリート板（１３０）等として構成したことを特徴とする請求項１から４の何れかに記載の生塵処理装置。
【請求項６】
前記起立ガイド軸（１０１、１０１Ａ）の下部を、当該起立ガイド軸（１０１、１０１Ａ）の下部に設けた、角形又は円形等の適宜形状の金属板又は硬質プラスチック板（１０５、１０５Ａ）の下面から下方へ適度に突出させたことを特徴とする請求項５記載の生塵攪拌装置。
【考案の詳細な説明】
【技術分野】
【０００１】この発明は生塵処理装置、殊に、例えば、併用する裁頭円錐状又は多角錘状、若しくは筒状のコンポスタ（生塵処理槽）内に投入される、一般家庭、その他の調理場等から繰返し排出される野菜類、魚介類、肉類、残飯類等の各種生塵を、人手により攪拌具を往復回転及び、必要に応じて適度に昇降させることにより、新鮮な酸素を含む空気をむらなく接触させて、当該生塵の醗酵を促進しながら処理する一方、当該生塵の攪拌終了後、ハンドルを前記中空軸の頂部から外して適所に保管し、次回の攪拌、処理に備える生塵処理装置であって、構造が簡単で、何人にも容易に取り扱え、しかも、既存のコンポスタを含む、裁頭円錐状又は多角錘状若しくは筒状コンポスタの併用による生塵処理装置であるから、処理する生麈からの臭気の発生や、虫の発生を招く恐れの少ない生塵処理装置を低コストで提供でき、しかも、３ないし４の概ね板状に分割して、コンパクトに梱包、収納でき、搬送、保管等を容易に行える生塵処理装置に関する。
【背景技術】
【０００２】従来の生塵の攪拌、処理装置としては、裁頭円錐状又は多角錐状若しくは筒状のコンポスタ内に、各種調理場から随時排出される野菜類、魚介類、肉類、残飯類等の各種生塵を投入し、当該裁頭円錐状又は多角錘状若しくは筒状コンポスタの頂部開口から、適時、スコップ又はフォーク等を人手で挿入して攪拌し、又は、当該筒状コンポスタの側壁に設けた回転刃により切断して、当該生塵の攪拌、醗酵、肥料化を促進する生塵攪拌、処理装置、例えば、東京都中央区の東洋テルミー株式会社製、コンポスタが知られている。このものは、裁頭円錐状コンポスタの基部を地面に僅かに埋め込むようにし、その頂部開口の蓋を外して開放し、当該頂部開口から各種生塵を投入した後、開口を蓋で閉塞し、適時蓋を外して開放した頂部開口からスコップ、又はフォークを人手で挿入し、当該コンポスタ内に投入された各種生塵を攪拌し、その醗酵を促進させるもので、コンポスタの頂部開口を、蓋により常時閉塞して臭気漏れを防止するものである。【０００３】また、宮城県仙台市のアイリスオーヤマ株式会社製のエコメイトと称される生塵処理装置も知られている。このエコメイトは、頂部開口を開放して筒状コンポスタ内に投入した生塵を、筒状コンポスタの側壁に設けた水平軸内側の回転刃を、水平軸外側のハンドルにより回転させて切断、攪拌して、その醗酵を促進させるもので、常時は角筒状コンポスタの頂部開口を蓋で閉塞して臭気漏れを防ぐものである。【０００４】さらに、特開平９−２４３５８号公報には、攪拌羽根を無くして安全性を高める生塵処理装置であって、小動力でバイオチップを均一に攪拌し、摩擦劣化を少なくするため、生塵を分解処理する木質チップを装填する処理槽の底部を攪拌ベルトで構成し、攪拌ベルトを当該処理槽の側面に沿って、配設された複数の回転軸に巻き掛け、当該回転ベルトの回転により、木質チップを攪拌ベルト上から処理槽の側面に沿ってせり上がらせる状態と、競り上がった木質チップを自重により攪拌ベルト上に落下させる状態の繰返しにより、木質チップを均一に攪拌、処理する生塵処理装置につて記載される。【０００５】特開平１０−１５１４３４号公報には、醗酵槽内の微生物と、有機廃棄物とを攪拌し、醗酵分解する家庭用生塵処理機を改良して、設置面積を大きくすること無く、処理容量の大きな生塵処理機を提供するため、高さ方向の略中央部の周側部に、生塵の投入口を供える立型円筒形状の醗酵槽内に、筒状攪拌室壁内で回転するらせん状攪拌板を設け、らせん状攪拌板を回転させて、内容物の生塵を上昇、攪拌する立型生塵処理装置が記載される。
【従来技術における解決課題】
【０００６】前記コンポスタは、裁頭円錐状コンポスタを、生塵処理に好適な日当り、排水性の良好な適所の地面に載置して、その基部を僅かに埋設、安定させた後、この裁頭円錐状コンポスタ内にその頂部開口から投入した野菜類、魚介類、肉類、残飯類等の各種生塵を、当該裁頭円錐状コンポスタの頂部開口から、使用者がスコップ又はフォークを把持、挿入して攪拌し、醗酵を促進させるもので、スコップ又はフォークを把持し、裁頭円錐状コンポスタの頂部開口から挿入して、生塵を攪拌する操作に大きな労力と時間を要する外、当該生塵に攪拌むらが発生し易く、しかも、生塵攪拌時に、開放された頂部開口から生塵臭気の発散される嫌いがあった。
【０００７】また、前記エコメイトは、角筒状コンポスタの側壁中央部に設けた水平軸内側の回転刃を、側壁外側のハンドルで往復回転させ、角筒状コンポスタ内に投入した生塵を切断、攪拌して、その醗酵を促進させるもので、角筒状コンポスタ内に投入された生塵のうち、当該回転刃の回転軌跡内に位置するものは切断、攪拌されるものの、当該切断刃の下移転軌跡から離れる位置に投入された生塵は、回転刃の回転に伴って、当該回転刃の回転軌跡内に移動するものは別として、そうでない生塵は切断、攪拌されず、例えば、当該角筒状コンポスタの、切断刃から離れる側壁面近傍に投入された生塵は、当該角筒状コンポスタの頂部開口を開放して、手作業等、何らかの手段により、前記回転刃の回転軌跡内に移動させない限り、その醗酵に長い時間が掛かり、その手なおし作業が面倒で、時間がかかる外、相応の危険発生を伴う嫌いがあり、しかも、その間に角筒状コンポスタの開放された頂部開口から、臭気漏れを招く嫌いがあった。
【０００８】なお、従来のコンポスタ内に投入した生塵の攪拌は、例えば、当該コンポスタの開放された頂部開口から挿入したスコップ、或いは農作業用のフォーク等によりするのが通常であって、その攪拌作業が面倒であり、しかも、当該生塵を満遍なく攪拌するのにかなりの労力を要する嫌いがあった。また、既製のコンポスタはかなり先細り状に構成されるものが多く、係る先細り状頂部を備える既製コンポスタの頂部開口から、スコップ等を挿入するのが面倒で、狭い頂部開口を介して、当該コンポスタ内に投入された生塵をスコップ等で攪拌するには、かなりの困難を伴う嫌いがあった。
【０００９】また、特開平９−２４３５８号公報記載の生塵処理用攪拌装置にあっては、攪拌羽根を無くしたことにより、相応の安全性を期待できるとともに、バイオチップの均一化には好適なものとしても、攪拌ベルト設置に基く設置コスト高や、当該攪拌ベルトの駆動力確保に伴う維持、管理費が嵩み、通常の家庭用生塵処理装置には適さない。
【００１０】特開平１０−１５１４３５号公報記載の縦型醗酵生塵処理機は、縦型醗酵処理槽内の微生物と、有機廃棄物とを攪拌し、醗酵分解する家庭用生塵処理機を改良して、設置面積を大きくすること無く、処理容量の大きい縦型醗酵生塵処理機が提供されるため、大量の生塵を攪拌処理できるものの、当該攪拌槽内に攪拌室壁付き回転らせん状攪拌板を設ける複雑な構造で、コスト高を招き、一般家庭用生麈処理装置としては、なお、馴染み難さが残る嫌いがあった。本発明者（出願人）は、係る従来例に、なお残る課題を解決する生塵処理装置として、先に、特願２００５−１１１３６８号を提案した。この提案により、当該出願の明細書、図面記載のような作用、効果を期待できるものの、本件発明者はその後の検討により、前掲発明における起立（垂直状）ガイド軸の起立状態確保手段をより単純化すると共に、その攪拌具を簡易な構造とすることにより、その操作を一層容易にし、しかも、一層ローコストで提供できる、以下に述べるような生塵処理装置を発明した。
【００１１】この考案は、前記コンポスタ、エコメイトや、特開平９−２４３５８号公報、特開平１０−１５１４３５号公報記載のもののような、従来の生塵の攪拌、処理装置に残る課題に着目してなされたもので、一般家庭から繰返し排出される生塵の攪拌、処理に好適で、既存の裁頭円錐状又は多角錘状、若しくは筒状又は多角筒状生塵処理槽（底部の開放された生塵処理槽）にも適用でき、当該生塵処理槽内に投入された生塵を、人手のみによる攪拌具の往復回転と昇降操作の一方又は双方の組み合わせ操作により、当該生塵に新鮮な空気を充分接触させながら攪拌して醗酵を促進させ、当該生塵の温度を上昇させ、臭気や虫の発生を抑制することができるようなものであって、構造及び取り扱いが簡単、容易で、任意の箇所に設置でき、適度な大きさの裁頭円錐状又は裁頭多角錘状若しくは筒状又は多角筒状コンポスタの併用により、当該裁頭円錐状又は裁頭多角錘状コンポスタ、若しくは筒状又は多角筒状コンポスタの内側に配した、当該生塵処理装置の起立ガイド軸の起立状態確保手段を備える生塵攪拌具により、当該生塵処理装置の起立ガイド軸の起立状態確保手段を備える生塵攪拌具の垂直中空基軸から起立する起立ガイド軸、又は当該起立ガイド軸に、回転可能に設けた攪拌具の中空軸頂部に、適時ハンドル軸の下部を係止ピンにより連結し、該ハンドルにより攪拌具を往復回転及び昇降操作又はそれらの組み合わせ操作をすることにより、裁頭円錐状又は裁頭多角錘状、若しくは筒状又は多角筒状コンポスタ内に投入された生塵を適度に切断しながら、空気を接触させるように攪拌することにより、生塵の温度を上昇させて醗酵、分解を促進し、臭気や虫の発生を抑制できる生塵攪拌装置を提供する。
【課題の解決手段】
【００１２】この発明は、従来例に残る前記のような課題を解決するため、頂部に開放可能な蓋付き開口を、底部に開口をそれぞれ備える、適宜高さの裁頭円錐状又は裁頭多角錐状、若しくは円筒状又は多角筒状のコンポスタ１０内に、下部に起立状態確保手段２０、１００、１００Ａ、１３０を備える適宜高さの起立ガイド軸２６、１０１、１０１Ａ、１３１を配し、該起ガガイド軸２６、１０１、１０１Ａ、１３１の上部に、生塵攪拌具３０、１１０を備える中空軸３１、１１１を、回転可能又は回転及び昇降可能に設けると共に、該中空軸３１、１１１の頂部に、ハンドル４０の下部を、係止手段４５により係脱可能に連結した生塵処理装置である。
頂部に開放可能な蓋付き開口を、底部に開口をそれぞれ備える、適宜高さの裁頭円錐状又は裁頭多角錐状、若しくは円筒状又は多角筒状のコンポスタ１０内に、下部に起立状態確保手段２０、１００、１００Ａ、１３０を備える適宜高さの起立ガイド軸２６、１０１、１０１Ａ、１３１を配し、該起立ガイド軸２６、１０１、１０１Ａ、１３１の上部に、生塵攪拌具３０、１１０を備える中空軸３１、１１１を、回転可能又は回転及び昇降可能に設けると共に、該中空軸３１、１１１の頂部に、ハンドル４０の下部を、係止手段４５により係脱可能に連結した生塵処理装置である。
【００１３】また、前記コンポスタ１０内に配設する起立ガイド軸２６、１０１、１０１Ａ、１３１の高さを、当該コンポスタ１０の高さより低く構成したものであり、また、前記起立ガイド軸２６、１０１、１０１Ａ、１３１の下部に設けた起立状態確保手段２０、１００、１００Ａ、１３０により、当該起立ガイド軸２６、１０１、１０１Ａ、１３１の垂直状起立状態を確保可能にしたものであり、また、前記生塵攪拌具１１０を、前記中空軸１１１の下部周りから放射状に伸びる攪拌板１１５として構成するとともに、該攪拌板１１５をその回転方向に対して適度に捻回させ、かつ、当該攪拌板１１５の回転方向前後縁の一側又は両側に切断刃１１６、１１７を構成したものである。
【００１４】さらに、前記起立ガイド軸１０１、１０１Ａ、１３１の起立状態確保手段１００、１００Ａ、１３０を、当該起立ガイド軸１０１、１０１Ａ、１３１の下部を取付ける穴１０６、１０６Ａ、１３７を中央部に備える適宜形状の金属板、硬質プラスチック板１０５、１０５Ａ又はコンクリート板１３０として構成したものであり、また、前記起立ガイド軸１０１、１０１Ａの下部を、当該起立ガイド軸１０１、１０１Ａの下部に設けた、角形又は円形等の適宜形状の金属板又は硬質プラスチック板１０５、１０５Ａの下面から下方へ適度に突出させたものである。
【００１５】（考案の作用）  請求項１の考案によれば、中空軸３１、１１１の下部に設けた生塵攪拌具３０、１１０により、当該コンポスタ１０内に投入された生塵を攪拌し、その醗酵を促進させる。なお、当該コンポスタに最初に投入する生塵の場合には、土壌を適量混ぜながら投入することにより、土壌中に混在する酵母による生ごみの発酵が、一層促進される。然る後、ハンドル４０と攪拌具３０、１１０の中空軸３１、１１１頂部との連結を解除して、ハンドル４０を攪拌具３０、１１０の中空軸３１、１１１頂部から引き抜いて適所に保管する一方、コンポスタ１０の頂部開口に蓋１７をして、当該生塵の醗酵を促進し、当該生塵処置装置ＺＡ、ＺＢ、ＺＣのコンポスタ１０への次回の生塵の投入、攪拌、処理に備える。
【００１６】また、ハンドル４０による攪拌具３０、１１０の往復回転、昇降等による生塵の攪拌、処理をする際、起立ガイド軸２６、１０１、１０１Ａ、１３１等に攪拌具３０、１１０の操作状態における反力等が掛かっても、攪拌具３０の中空軸３１が、支持台２０の垂直リング状板２１、垂直放射状アーム２４、垂直中空基軸２２により下部を取り付けた起立ガイド軸２６により、また、攪拌具１１０の中空軸１１１が起立ガイド軸１０１、１３１により、角板１０５、円板１０５Ａ、コンクリート板１３６付起立ガイド軸１０１、１０１Ａ、１３１等の起立状態確保手段１００、１０１Ａ、１３０により、それぞれの起立状態が確保されることにより、当該生塵処理装置ＺＡ、ＺＢ、ＺＣの正常な攪拌、処理を継続する。
【００１７】請求項２の考案によれば、この生塵処理装置を容易に組み付け得るほか、当該生塵処理装置の攪拌具等に何らの構造変更を加えることなく、新たなコンポスタに代えて、既存のコンポスタ内にそのまま配設することができ、この場合においても、前記と同様な生塵処理機能を期待できる。また、請求項３の考案によれば、当該生塵処理装置の攪拌具周りと併用するコンポスト（既存のコンポストを含め）の内側間の必要な間隔等を容易に確保でき、ハンドル４０による攪拌板１１５の回転操作時、殊に、攪拌板１１５を起立ガイド軸１１５に沿って上昇させた状態においても、当該攪拌板１１５の端縁部との当接発生等が抑制され、とりわけ当該攪拌板１１５の端縁と前記コンポスタ１０の上部内側間に介在する生塵との過度な接触圧発生が抑制される。
請求項４の考案によれば、仮に当該コンポスタ１０（既存のコンポスタによる場合も同様）内に長大な生麈や、かなり  が投入されても、かなりコンポスタ１０内に長大な生塵が投入されても、強靭な植物繊維の混在する生塵が投入されても無理なく裁断し、攪拌して、スムーズに処理する。
【００１８】請求項５の考案によれば、起立ガイド軸１０１の下部を、適宜形状の金属板、硬質プラスチック板１０５、１０５Ａの中央部の穴１０６、１０６Ａに取り付けることにより、起立ガイド軸１０１、１０１Ａ、１３１の起立状態が、当該起立ガイド軸１０１、１０１Ａ、１３１の下部に設けた適度な硬度、強度、重量、広さを備える適宜形状の金属板、硬質プラスチック板（起立状態確保手段）等により確保され、しかも、当該コンクリート板を、例えば、通路又は庭等の角形敷石の中央部に穴を明けて構成することにより、この発明のコンクリート板として使用でき、ひいては、この生塵処理装置を一層低コストで提供できる。
【００１９】請求項６の考案によれば、角形又は円形等の適宜形状の、鉄板、ステンレス版、銅版、アルミ板当の金属板、又は硬質プラスチック板１０５、１０５Ａ等の下面を越えて、その下方へ適度に突出する起立ガイド軸１０１下部により、この生塵処理装置のその目的とする配設領域への位置決めを容易にし、しかも、その打ち込み等を、家庭の主婦等でも無理なく容易に行える。
【実施態様】
【００２０】以下、この考案に係る生塵処理装置の第１〜３実施態様ＺＡ〜ＺＣを、添付の図１〜１３を参照して説明する。なお、本考案はコンポスタ１０及びハンドル４０の構造特定自体を要件とするものではないので、ここでは、第１〜第３実施態様ＺＡ、ＺＢ、ＺＣのコンポスタ１０及びハンドル４０を共通構造のものとして、したがって、同一名称、同一符号を用いて略示した。また、第２実施態様と第３実施態様の生塵攪拌具１１０も同一構造のものとして、同一名称、同一符号を用いて略示した。
【第１実施態様】
【００２１】図１はこの考案に係る生塵処理装置の第１実施態様ＺＡの正面説明図で、図１では縦断したコンポスタ１０の輪郭を実線で略示した。図２はハンドル４０の縦断説明図で、中空ハンドル軸４２下部の位置決めピン４６による、中空軸３１の頂部への取付け部を、同図２における中空ハンドル軸４２下部の位相を９０°ずらして、別図で同時に略示した。図３は下部に起立ガイド軸２５の起立状態確保手段としての垂直リング状板２１、中空基軸２２、係止穴２３、垂直放射状アーム２４を備える中空基軸２２の中空穴に下部が挿入され、スプリングピン付係止ピン２５により係止、支承された起立ガイド軸２６の正面図、図４は同起立状態確保手段を備える起立ガイド軸２６の平面説明図である。なお、第１実施態様の生塵処理装置ＺＡは、概ね、裁頭円錐状コンポスタ１０、起立ガイド軸２６の起立状態確保手段としての支持台２０、起立ガイド軸２６、生塵攪拌具３０、ハンドル４０部分により構成される。
【００２２】図１〜４において、１１は裁頭円錐状コンポスタ１０の上部、１２は裁頭円錐状コンポスタ１０の基部、１３は裁頭円錐状コンポスタ１０の頂部、１４は裁頭円錐状コンポスタ１０の段部、１５は裁頭円錐状コンポスタ１０の基部開口、１６は裁頭円錐状コンポスタ１０の頂部開口、１７は裁頭円錐状コンポスタ１０の頂部開口１６の蓋である。なお、このコンポスタ１０自体は従来のコンポスタと共通する。また、コンポスタ１０は、図示例のような裁頭円錐状コンポスタ１０として構成する外、図示しないが、例えば、裁頭多角錐状コンポスタを始め、円筒状コンポスタ、多角筒状コンポスタとして構成することもできる。
【００２３】（支持台）  ２０は攪拌具３０の起立ガイド軸２６の支持台で、支持台２０は起立ガイド軸２６の起立状態確保手段として構成される。２１は垂直リング状板、２２は垂直リング状板２１の中心に位置する中空基軸で、垂直リング状板２１の内側と中空基軸２２外側が垂直放射状アーム２４により図４のような十字状（４枚の垂直放射状）アームにより連結される。２６は基部を中空基軸２２に挿入し、中空基軸２２の係止穴２３にスプリングピン付係止ピン２５を挿入して、起立状態を確保した起立ガイド軸である。なお、垂直リング状板２１の内側と中空基軸２２の外側を連結する垂直放射状アーム２４は、図４のような十字状に構成する外、図示しないが３枚の垂直放射状（Ｙ字状）アーム、６枚の垂直放射状アーム、８枚の垂直放射状（米字状）アームとして構成することもでき、何れも、ほぼ同様な起立ガイド軸２６の起立状態確保機能を奏する。
【００２４】（生塵攪拌具）  第１実施態様ＺＡの生塵攪拌具３０の支持台２０は、適度な直径、例えば、５０〜１００ｃｍ程度の垂直リング状板２１の内側と、当該垂直リング状板２１中央部の垂直中空基軸２２の外側を、複数の垂直放射状アーム２４で連結され、その高さは、例えば、５〜１０ｃｍ程度、全体として薄い円盤状をなすものとして構成される。支持台２０はこの生塵処理装置ＺＡを配設するのに好適な場所の地面Ｇに水平状に置かれ、その垂直中空基軸２２の頂部及びその内側を除き、当該支持台２０全体が砂、土などに概ね埋設され、その自重と、砂、土による埋設により、当該支持台２０の配設箇所からの移動と、その傾斜等の姿勢変更をしないように設置される。支持台２０の垂直中空基軸２２から起立する垂直ガイド軸２６に、垂直リング状板２１の半径と同程度又はその半径を越えない回転半径の、攪拌フォーク３７付き放射状アーム３５を、下部に備える攪拌具３０の中空軸３１が、往復回転及び昇降可能に設けられる。
【００２５】（ハンドル）  ４０はＴ状のハンドルで、ハンドル４０の中空ハンドル軸４２の下部を、攪拌具３０の中空軸３１頂部に挿入し、係止ピン４５により両者の係止状態を確保し、同中空軸３１を、ハンドル４０により往復回転駆動する。４６は（中空）ハンドル軸４２に設けた位置決めピンで、位置決めピン４６は中空軸３１頂部の凹部３４に当接して、ハンド軸４２の位置を規制する。４４は係止ピン４５の鎖で、鎖４４の基部は止め具４３によりハンドル軸４２の適所に取付ける。
【００２６】（第１実施態様の作用）  生塵攪拌具３０の中空軸３１頂部から、係止ピン４５を引き抜き、中空軸３１頂部からハンドル４０を引き抜いた生塵攪拌具３０の、支持台２０の垂直リング状板２１外側に、小間隔Ｖを存してコンポスタ１０の基部１２を配し、支持台２０の中空基軸２２から起立する起立ガイド軸２６に回転可能に設けた、攪拌具３０の中空軸３１の頂部に、ハンドル４０の中空ハンドル軸４１下部を、コンポスタ１０の開放された頂部開口１６を通して挿入する。その際、ハンドル軸４２の位置決めピン４６が、中空軸３１頂部の凹部３４に挿入されると衝突音が発生し、ハンドル軸４２と中空軸３１の穴３３の方向及びその頂部からの高さと、ハンドル軸４２の挿入穴４７の位置及び方向が合致するように設けられ、係止ピン４５を、係止孔３３（中空軸３１）、４７（ハンドル軸４２）を直視することなく挿入することができ、ひいては両者の一体状連結を容易に、しかも、確実にする。
【００２７】この状態（ただし、ハンドル４０を攪拌具３０の中空軸３１頂部から引き抜いてもよく、この場合には、ハンドル４０を引き抜いた後の中空軸３１頂部にヤップ３９を被せる）、即ち、コンポスタ１０内に、生塵攪拌具３０を挿入した状態において、当該コンポスタ１０内に、その頂部開口１６から適時生塵を投入する。然る後、ハンドル４０が中空軸３１の頂部から引き抜かれている場合には、中空軸３１の頂部からキャップ３９を外して適所に保管し、ハンドル４０のハンドル軸４２下部を、中空軸３１の頂部に挿入し、係止ピン４５により両者を連結する。ハンドル４０のアーム４１で、ハンドル軸４２を介して攪拌具３０の中空軸３１を、コンポスタ１０の開放された頂部開口１６の上側から往復回動させて生塵を攪拌する。その際、必要に応じて、ハンドル４０を適度に昇降させることにより、攪拌具３０を同時に昇降させて、生塵を一層むらなく、効率的に攪拌する。
【００２８】攪拌具３０の中空軸３１頂部に、ハンドル４０の中空ハンドル軸４１下部を、係止手段としての係止ピン４５により、回転及び昇降駆動可能に連結し、また、係止ピン４５の引き抜きにより、両者の係止、連結状態を解除し、ハンドル４０を中空軸３１頂部から引抜いて、適所に保管する。ハンドル軸４２下部を引き抜いた、中空軸３１の頂部にキャップ３９を嵌め（図１の破線３９参照）、ハンドル軸４２の中空穴３２の頂部開口をキャップ３９で閉塞した後、コンポスタ１０の頂部開口１６を蓋１７（図１の破線参照）で閉塞し、生塵の醗酵進行を待つ。
【００２９】攪拌具３０の中空軸３１内側と、支持台２０の中空基軸２２から起立する起立ガイド軸２６とハンドル４０の中空ハンドル軸４２周りとの間に小間隔Ｓ、Ｓを確保し、併せて、中空軸３１の下部外側からその軸方向に伸び、当該中空軸３１の中空穴３２に連通する中空穴３５Ａを備える中空アーム３５に、当該中空アーム３５周りの任意方向に開口する複数の空気抜き穴３６を、例えば、約２〜３ミリの両者間の間隔を通して、中空ハンドル側、即ち、裁頭円錐状生塵処理槽１１外側の新鮮な空気が、当該隙間を介して、攪拌具３０の中空軸３１から、中空アーム３５の中空穴３５Ａを介して、空気抜き穴３６から流出する外、当該攪拌具３０の回転に基づく遠心力により通気を積極的に流通させ、攪拌具３０により攪拌される生塵の奥まで、空気を強制的に注入して発熱させ、温度を上げて、生塵の醗酵を促進する。
【００３０】起立ガイド軸２６の下部を、支持台２０の中空基軸２２に係止ピン２５で係脱可能に取付けるとともに、攪拌具３０の放射状アーム３５を、中空軸３１下部外側からその左右両側に伸びる同一平面上に構成すれば、各部が同一平面状に位置するハンドル４０と併せて、この生塵処理装置ＺＡを、概ね平板状に３分割（ただし、垂直中空軸２２にピン付けされる垂直ガイド軸２６の分割を起算すれば概ね平板状に４分割）して、コンパクトに格納でき、保管、搬送等を容易し、その取り扱いを容易にする。
【００３１】この生塵処理装置ＺＡの組立ては、支持台２０を適所の地面Ｇ上に水平状に載せ、その垂直放射状アーム２４を含めて当該支持台２０全体を砂又は土中に略埋設、安定させた後、支持台２０中心部の中空基軸２２から起立する垂直ガイド軸２６に、攪拌フォーク３７付き攪拌具３０の中空軸３１を往復回転挿入し、その頂部にキャップ３９を被せる。然る後、併用するコンポスタ１０をその上から被せ、その基部１２内側を支持台２０の垂直リング状板２１の外側に配して、概ね、図１のように組み付ける。その後、コンポスタ１０の開放された頂部開口１６から生塵を投入する。生塵攪拌具３０の中空軸３１頂部のキャップ３９を外し、コンポスタ１０の頂部開口１６を介して、ハンドル軸４２の下部を、同中空軸３１の頂部に挿入し、係止ピン４５により両者を係止し、ハンドル４０により攪拌具３０を往復回転と、必要に応じて昇降駆動可能に取付ける。然る後、ハンドル４０により、コンポスタ１０内においてフォーク３７付き攪拌具３０を往復回転させ、必要に応じて昇降させ、コンポスタ１０内の全領域の生塵を攪拌、処理する。攪拌具３０の往復回転により、放射状アーム３５の中空孔３５Ａ内の空気が流通し、空気抜き孔３６から放出され、生塵の奥まで積極的に注入され、その結果、生塵の温度が上昇して醗酵が促進される。生塵攪拌後、ハンドル４０を攪拌具３０の中空軸３１頂部から、係止ピン４５を抜いて引き抜き、適所に保管する一方、コンポスタ１０の頂部開口１６を蓋１７で閉塞し、生塵の醗酵進行を待つ。
【００３２】生塵を攪拌するときだけ、裁頭円錐状のコンポスタ１０の頂部開口１６を開いてハンドル４０のハンドル軸４２下部を、コンポスタ１０内の攪拌具３０の中空軸３１頂部に挿入し、係止ピン４５で両者を係止させ、ハンドル４０により攪拌具３０を往復回転と、必要に応じて昇降させて、コンポスタ１０内の生塵を回転と昇降させ、コンポスタ１０内に投入された生塵を、その全領域にわたりむらなく、効率的に攪拌（なお、後述の第２、３実施態様ＺＢ、ＺＣを対象にする場合には、その生塵攪拌具１１０の生塵攪拌板１１５による生塵の積極的裁断を含む）処理する。
【００３３】生塵の攪拌終了後、係止ピン４５を抜いて、攪拌具３０の中空軸３１頂部から、ハンドル軸４２を引き抜き、キャップ３９で中空軸３１の中空穴３２頂部を閉塞し、引き抜いたハンドル４０を適所に保管する一方、コンポスタ１０の頂部開口１６を蓋１７で閉塞し、当該コンポスタ１０内への虫等の侵入を阻止する。
【００３４】因みに、この生塵攪拌具（コンポスタ１０を除く）の総重量は、攪拌容量が１２０〜２００リットルの裁頭円錐状又は筒状コンポスタ１０（なお、裁頭多角錐状コンポスタ若しくは筒状又は多角筒状コンポスタもほぼ同様）に好適なものとして、約５〜１５ｋｇ程度に構成され、また、この生塵攪拌具を、支持台２０、攪拌具３０、ハンドル４０を概ね３個（ただし、係止ピン２５の引き抜きにより、垂直ガイド軸２６を支持台２０から分割した場合は４個）に分割し、分割した各部が嵩張らない、概ね平板状をなすように分割可能に構成する。
【００３５】（第１実施態様の最適実施要領）  本件発明者の実験によれば、この発明の第１実施態様の生塵攪拌具３０による、一般家庭の調理場から発生する通常の、各種生塵の最適攪拌要領として、生塵の水分を良く切り、それに適量の乾いた土、米ぬか、落ち葉、おがくず、籾殻くん炭等を一緒に入れて、生塵とともに攪拌する。
通常最初の３日間程度は、当該裁頭円錐状処理槽１１に投入された生塵と土を、１日当り１回攪拌具３０を往復回転させるとともに、適度に昇降させるように攪拌することにより、当該生塵の奥まで新鮮な空気を混入して、当該生塵中ないし当該生塵まわりの微生物の、当該生塵に対する働きを活性化させて、当該生塵の醗酵を促進して、その温度を上昇させ、虫の発生や、臭気の発生を抑制する。その後は、生塵醗酵の進行状態を見ながら、適量の米ぬか、落ち葉、おがくず、籾殻くん炭等を入れて生塵を攪拌する。然る後、３〜５日に１回程度生塵を、ハンドル４０による攪拌具３０の回転及び適度な昇降により攪拌し、当該生塵の醗酵を促進する。
【００３６】（ハンドルの変形例）  この発明の生塵攪拌装置のハンドルは、第１実施態様ＺＡのＴ状の中空ハンドル４０として構成する外、図示しないが、中実のＴ状ハンドル、端部に水平状頂部を備えるＹ状ハンドル、Ｕ状ハンドル等として構成することもできる。何れの形状のハンドルにおいても、夫々のハンドル軸部の長さを、前記第１実施態様ＺＡのハンドル４０の、ハンドル軸４２の長さＬ４と同程度の長さにするとともに、当該ハンドル軸４２の下部に、前記攪拌具３０の中空軸３１頂部への係止ピン４５等による係止手段と同様な、係止構造を確保することにより、当該ハンドルにより攪拌具３０を往復回転及び昇降駆動可能にし、これにより、夫々の形状自体の相違は別として、前記第一実施態様ＺＡのＴ状ハンドル４０と略同様な攪拌作用をするものを提供する。
【００３７】また、生塵攪拌具３０のコンポスタとしては、図示しないが、その横断面形が、例えば、４から８角形状の裁頭多角錐又は多角筒状のコンポスタとして構成し、係る裁頭多角錐状又は多角筒状コンポスタの内壁に当接しない、即ち、当該裁頭多角錐状又は多角筒状コンポスタの内壁に当接する円錐又は多角錐状コンポスタないし円筒又は多角筒状コンポスタと同径ないし、それよりやや小径の支持台、攪拌具等を備える、前記第１実施態様の生塵攪拌具３０と、略同構造の生塵攪拌具を挿入することにより、前者と略同様な生塵処理装置を得られる。ただし、４から８角形（殊に、４から６角形）状の多角錐又は多角筒状コンポスタを使用する場合、それらの角部に攪拌されない生塵の残留発生を防止するための適度な面取り等の対策を構ずるのがよい。
【００３８】（支持台の変形例）  この生塵攪拌装置の支持台２０は、その起立ガイド軸２６の基部を、その起立中空基軸２２に対して、起伏可能に軸支するとともに、その起立状態の確保可能な手段を、前記起立中空基軸２２の上部と、当該起立ガイド軸との間に設けることにより、当該起立ガイド軸の起立状態を確保する外、必要に応じて、当該起立ガイド軸の起立状態確保手段の開放により、当該起立ガイド軸を略水平状に倒伏させて、その垂直リング状板２１、垂直放射板２４等と略同一面上に折畳み可能にし、前記ハンドル４０を合わせて、この生塵攪拌装置全体を、概ね板状に略３分割してコンパクトに折畳み可能にすることにより、その保管、梱包、搬送等を一層容易にする。
【第２実施態様】
【００３９】次に、この考案に係る生塵処理装置の第２実施態様ＺＢを、図５〜１０（ただし、図８は第２実施態様の、起立ガイド軸の起立状態確保手段の変形例）を参照して説明する。図５は第２実施態様ＺＢの模式正面図で、図５では説明の便宜上、攪拌具１１０の中空軸１１１の頂部に、ハンドル４０のハンドル軸４２下部を係止ピン４５で係止させた状態を略示した。図６は角板１０５を、起立ガイド軸１０１の起立状態確保手段１００として、その下部に備えるものの模式正面説明図、図７はその平面説明図、図９は第２実施態様の攪拌具１１０の正面説明図で、図９ではその中空軸１１１の下部から放射状に伸びるとともに、適度な幅を備え、その回転方向に適度に（この例では約１５°）捩れる攪拌板１１５を備えるものを示す。なお、図９ではその攪拌板１１５の側面図を、同時に別図で略示した。図１０はその攪拌板１１５の拡大側面説明図である。また、第２実施態様ＺＢのコンポスタ及びハンドルは、それらの変形例を含めて、前記第１実施態様ＺＡのコンポスタ１０及びハンドル４０と共通のものとして構成されるが、ここではそれらにつての詳細な説明は省略する。
【００４０】（起立ガイド軸の起立状態確保手段）  第２実施態様ＺＢの起立ガイド軸１０１の起立状態確保手段１００は、図６、７に略示するように、起立ガイド軸１０１の下部に、適度な強度、剛性、厚さ、面積を備える角板１０５の中央部の穴１０６に、起立ガイド軸１０１の下部を挿入して両者を、例えば、溶着等により強固に固定したものである。この角板１０５付起立ガイド軸１０２を、当該生塵処理装置ＺＢを配設する目的領域の地面に、当該起立ガイド軸１０１の下部を挿入して垂直状に起立させた後、例えば、角板１０５上に当該装置の操作者が両足を乗せて立ち上がり、その状態を維持しながら数回上方へ飛び上がることにより、その反動及び落下重量により、当該起立ガイド軸１０１を垂直状に当該地面に挿し込み、垂直状に立設する。その際、起立ガイド軸１０１に傾斜が発生した場合には、当該角板１０５の高い側に操作者が移り（乗り）、そこでの上方への飛び上がりを繰返すことにより、当該起立ガイド軸１０１の垂直状立設を図る。なお、当該角板１０５を図示しない木槌等の殴打手段により適時殴打して、当該起立ガイド軸１０１の垂直状立設を図ることもできる。
【００４１】（既存のコンポスタへの実施）  第１実施態様の生塵処理装置ＺＡ（なお、後述の第２、３実施態様の生塵処理装置ＺＢ、ＺＣについても同様）は、以下に述べる様に、図示しない既存のコンポスタ（このコンポスタの下部に底壁はない）に対して、その裁頭円錐状コンポスタの内径よりやや小径の支持台２０、攪拌具３０を選択することにより、そのまま実施することができる。即ち、例えば、図示しない既存の、他の裁頭円錐状コンポスタの設置場所から、その裁頭円錐状コンポスタを一旦取り外し、蓋を外して頂部開口を開放し、同蓋を当該設置場所近くの適所に置く。裁頭円錐状コンポスタ下部の内径よりやや小径の垂直リング状板を備える支持台２０を選択して適所に載置し、必要に応じて当該支持台２０を砂、土等により略埋設し、その起立ガイド軸２６に攪拌具３０の中空軸３１を回転可能に挿入する。次に、蓋を外して頂部開口を開放した、前記裁頭円錐状コンポスタをその上に被せ、その基部外周に砂、土等を適度に掛けて、その安定した載置状態を確保する。しかる後、裁頭円錐状コンポスタの頂部開口を通してハンドル軸４２の下部を、攪拌具３０の中空軸３１頂部の中空穴３２に挿入し、穴３３、４７を合わせ、係止ピン４５により両者を連結する。頂部開口から生塵を投入し、ハンドル４０により、攪拌具３０を往復回転と必要な昇降をさせて当該生塵を攪拌し、醗酵を待つ。その際、適量の土をコンポスタ内の生ごみに混ぜることにより、土中の酵母による生塵の発酵が促進される。その後の操作は、前記第１実施態様ＺＡ（第２、３実施態様ＺＢ、ＺＣについても同様）の攪拌操作要領と略同様である。
【００４２】以上の説明から理解される様に、この考案に係る生塵処理装置の第１実施態様ＺＡの支持台２０、起立ガイド軸２６、攪拌具３０、ハンドル４０等の併用により、従来は生塵の攪拌、処理装置としては、必ずしも十分活用されない嫌いのあった既存のコンポスタを、地面Ｇ上に置く（被せる）前に、この発明に係る生塵処理装置ＺＡの、支持台２０、回転する生塵攪拌具３０、及びハンドル４０等からなり、同第一実施態様ＺＡにおけるコンポスタ１０の欠落するものを配設し、その上に、例えば、既存の裁頭円錐状コンポスタを被せることにより、通常の家庭調理場等から排出される生塵の処理装置として、前記第一実施態様ＺＡとほぼ同様に使用することができる。第２実態様の生塵処理装置ＺＢ（その起立ガイド軸の起立状態確保手段１００Ａを含む）、及び後述の第３実施態様の生塵処理装置ＺＣについても、これと略同様である。
【００４３】なお、仮に、既存の栽頭円錐状コンポスタの頂角が小さく、当該栽頭円錐状コンポスタ内に配設した生塵攪拌装置ＺＡの攪拌具３０を、当該栽頭円錐状コンポスタ内の頂部近傍まで上昇させることができない場合には、この生塵処理装置ＺＡの攪拌具３０を、当該裁頭円錐状コンポスタの高さの、例えば、２分の１から３分の２程度まで上昇させるとともに、回転させることができれば、当該裁頭円錐状コンポスタ内に投入する生塵の量を僅かに減らすことにより、概ね、前記生塵処理装置ＺＡの攪拌具３０による、生塵の通常の攪拌、発酵に準ずる生塵の処理作用を期待できる。
【００４４】また、前記第１実施態様の生塵処理装置ＺＡの攪拌具３０を、当該栽頭円錐状コンポスタ内の低部近傍に配設して、ハンドル４０により繰返し往復回転させて、生塵を攪拌する際、コンポスタの頂部開口から投入する新鮮な空気を往復回転する当該生塵の奥まで接触させることにより、生塵を充分攪拌してその醗酵を促進して温度を上昇させ、肥料化を相応に促進させることができる。なお、前記第２実施態様ＺＢ及び後述の第３実施態様の生塵攪拌装置ＺＣについても、これと略同様に、既存のコンポスタにも、概ね、そのまま適用できる。
【００４５】（第２実施態様の変形例）  この考案に係る生塵処理装置の、第２実施態様ＺＢの起立ガイド軸１０１の起立状態確保手段１００は、その（平面視）角形金属板１０５を、図８の模式平面説明図に略示すような円形金属板１０５Ａとして構成（変形）することができる。１０６Ａは円形鉄板１０５Ａ中央部の穴で、この穴１０６Ａに起立ガイド軸１０１Ａを挿入し、溶接等により固定する。この変形例の起立状態確保手段１００Ａは、その平面視が円形であるため、当該生塵処理装置の起立ガイド軸１０１Ａが受ける、起立状態確保手段１００の円形金属板１０５Ａの回転抵抗が、起立ガイド軸１０１を角形金属板とした前記第２実施態様Ｂの起立ガイド軸１０１の受ける回転抵抗より、僅かに小さくなる嫌いのあることは別として、その余の構造及び作用は前記第２実施態様の角形金属板１０５を備えるものと、ほぼ同様である。
【００４６】（第３実施態様）  この考案に係る生塵処理装置の第３実施態様ＺＣを、図１１〜１３を参照して説明する。図１１はこの発明に係る生塵処理装置の、第３実施態様ＺＣの正面説明図で、図１１では説明の便宜上、攪拌具１１０の中空軸１１１頂部にハンドル軸４２下部を係止ピン４５で係止させた状態を略示した。図１２は起立ガイド軸１３１の起立状態確保手段１３０の正面説明図、図１３はその平面説明図である。なお、第３実施態様ＺＣのコンポスタ１０、ハンドル４０及び攪拌具１１０は、前記第２実施態様ＺＢのコンポスタ１０、ハンドル４０、及び前記第３実施態様ＺＣの攪拌具１１０と共通するので、ここではそれについての詳細な説明は省略する。
【００４７】図１１〜１３において、１３０は第３実施態様ＺＣの、起立ガイド軸１３１の起立状態確保手段で、この起立状態確保手段１３０は、通路、庭等に敷石として配設される正方形状のコンクリート板１３６と略同構造のもので、これは、適度な大きさ、強度、厚さ、重量等を備える角形（正方形）状コンクリート板１３６で、その中央部に設けた穴１３７に起立ガイド軸１３１の下部１３２を、ワッシャ１３３、１３３を介して挿入し、ナット１３４締め、固定したものである。この起立状態確保手段としての、コンクリート板１３６を備える起立ガイド軸１３１を、当該生塵処理装置ＺＣの配設領域に配し、当該領域の地面に同コンクリート板１３６を図１２のように埋設し、起立ガイド軸１３１を垂直状に起立させる。この起立ガイド軸１３１に攪拌具１１０の中空軸１３１を挿入した後、コンポスタ１０を図１１のように被せる。その際、攪拌具１１０の中空軸１１頂部に、ハンドル軸４２の下部が係止ピン４５により連結されていれば、係止ピン４５を引き抜いてハンドル軸４２を中空軸１１１の頂部から引き抜き、ハンドル４０を適所に保管する一方、中空軸１１１の頂部にキャップ３９を嵌め、同中空軸１１１の中空穴の頂部を閉塞する。
【００４８】コンポスタ１０の蓋１７を取り外して、その頂部開口１６を開放し、当該コンポスタ１０内に生塵を随時投入する。然る後、中空軸１１１頂部のキャップ３９を外して適所へ保管した後、ハンドル軸４２の下部をコンポスタ１０の頂部開口１６から挿入し、同ハンドル軸４２下部を中空軸１１１の頂部に挿入し、係止ピン４５により連結、係止する。次いで、ハンドルアーム４１によりハンドル４０を往復回転させ、必要に応じて、ハンドル４０を昇降させることにより、生塵を裁断し、攪拌する。次いで、係止ピン４５を引き抜き、ハンドル軸４２を中空軸１１１の頂部から引き抜き、ハンドル４０を適所に保管し、コンポスタ１０の頂部開口１６に蓋１７をし、生塵の醗酵促進を待つ一方、次回の生塵投入、攪拌、処理に備える。
【００４９】なお、前記第一実施態様ＺＡにあっては、その中空軸の中空穴に連通する中空穴を備える中空アームに、適宜間隔を存して空気抜き穴を設け、該空気抜き穴を当該中空アームの下部に下向きに設ければ、生塵処理槽内の生塵を攪拌具で攪拌する際等、仮に、中空アーム内に進入する水があっても、中空軸の中空穴に連通する中空穴を備える中空アーム下部の空気抜き穴から、その自重により落下、排水され、当該攪拌具等の良好な通気状態が確保される。
【００５０】また、前記第一実施態様ＺＡの攪拌具の非使用状態、取り分け、ハンドル軸による中空軸頂部を回転駆動しない状態における、中空軸の中空穴の頂部開口から、当該中空軸の中空穴内へ、当該処理槽内の生麈の醗酵中に発生する水蒸気等の凝結水、生塵処理槽の頂部開口からの雨水等の進入や、当該処理槽内への虫等の不用意な進入を阻止し、攪拌具、殊に、その空気流通路の良好な流通状態を確保する等、適切な保守、管理の確保を容易にする。
【００５１】さらに、前記ハンドル軸の断面形を非円形に構成すると共に、その非円形ハンドル軸の下部を、中空軸頂部の非円形状孔部に係止させるように構成（図示省略）すれば、コンポスタ内に投入された生塵を、当該コンポスタの頂部開口の上側から、当該頂部開口を介して攪拌具を回転させながら昇降させて、当該生塵を漏れなく攪拌して、新鮮な空気を漏れなく接触させて、生塵の醗酵を促進する。なお、この例にあっては、仮に、攪拌具の中空軸頂部内側の非円形状孔と、中空ハンドル軸の同形下部との係止手段による係止忘れがあっても、当該攪拌具の攪拌フォーク、又は攪拌板上に投入される生塵が小量であれば、当該ハンドルによりそのまま当該攪拌具を回転駆動して、相応の攪拌し、発酵の促進処理を行える。
【００５２】また、支持台２０の垂直中空基軸２２から起立する起立ガイド軸２６に回転及び昇降可能に設けた、攪拌具３０の中空軸３１の頂部対向位置に、該中空軸３１の頂部に達する逆Ｔ状穴を設け、該中空軸３１の頂部にハンドル軸４２の下部を挿入して、回転及び挿脱可能にするとともに、該ハンドル軸４２をその直径方向に貫通する係止ピンの端部を、前記逆Ｔ状穴に挿入して、該ハンドルにより前記攪拌具を、起立ガイド軸２６回りに回転及び昇降駆動することにより、当該生塵を漏れなく攪拌する外、ハンドル軸下部の係止ピン端部を、支持台２０の起立ガイド軸２６に回転可能に挿入した攪拌具３０の、中空軸３１頂部の逆Ｔ状穴に挿入して、その下部まで下した後、ハンドル４０を時計又は反時計方向へ回転させ、同係止ピン端部を逆Ｔ状穴の水平状下部の左端部又は右端部に当接させて同方向への回転を継続し、係る状態でハンドル４０を昇降させることにより、攪拌具の回転及び昇降駆動を継続させて、当該生塵を漏れなく攪拌し、発酵の促進処理をすることができる。
【００５３】なお、前記第一実施態様のように、適宜形状のコンポスタ内に投入した生塵を、当該コンポスタ内において、その頂部開口の上側から、ハンドルにより攪拌具を適時回転と昇降を繰り返すことにより、当該コンポスタ内の全領域の生塵に、開放された頂部開口から新鮮な空気を接触させるとともに、攪拌具の攪拌板、当該放射状中空アーム中空部内の空気を流通させ、ひいては、当該処理槽外の新鮮な空気を、開放する頂部開口及び当該ハンドル軸の中空穴を介して導入して、当該空気抜き穴から放出し、当該生塵の中心部（奥）に位置する生塵にも積極的に接触させて、当該生塵の温度を上昇させ、その醗酵を促進する。
【００５４】また、前記第一実施態様のように、起立ガイド軸の起立状態確保手段を適度な直径の垂直リング状板の内側と、その中心部に位置する起立中空基軸の外側を、複数の垂直放射状アームにより連結した支持台として構成すると共に、該支持台中央部の中空基軸から起立する起立ガイド軸、攪拌フォークを備え、前記垂直リング状板とほぼ同形の放射状アームを供える生塵攪拌具の中空軸を、回転可能に設ければ、適宜形状のコンポスタ内に投入した生塵を、当該コンポスタ内において、その頂部開口の上側から、ハンドルにより適時攪拌具の回転と昇降を繰り返すことにより、当該コンポスタ内の全領域の生塵に、開放された頂部開口からの新鮮な空気を接触させるとともに、攪拌具の攪拌板、当該放射状中空アーム中空部内の空気を流通させ、ひいては、当該処理槽外の新鮮な空気を、開放する頂部開口及び当該ハンドル軸の中空穴を介して導入して、当該空気抜き穴から放出し、当該生塵の中心部（奥）に位置する生塵にも積極的に接触させて、生麈の温度を上昇させ、その醗酵を促進する。
【発明の効果】
【００５５】この考案は、前記のような構成を有し、作用をするから、以下に掲げるような特有の効果を奏する。
【００５６】（１）  請求項１の考案によれば、支持台を地面にほぼ埋設するように載置することにより、仮に、攪拌具の回動操作等による多少の外力等が支持台に加えられても、当該支持台の垂直リング状板、垂直放射状アーム、垂直中空基軸等により、その載置位置及び支承方向等の正常姿勢を確保し、また、中空軸頂部に、攪拌具の中空軸を往復回転及び昇降駆動するハンドル軸の下部を、係止ピン等の係止手段により係脱可能に連結したことにより、当該攪拌具周りの生塵を、当該攪拌具の回転及び必要な昇降により漏れなく攪拌して、その温度を上昇させて醗酵を促進させ、また、必要に応じて、当該ハンドルによる前記と同様な攪拌具の回転と昇降操作を繰り返すことにより、当該生塵を攪拌して醗酵をさらに促進して温度を上昇させ、当該生塵の肥料化を促進できる生塵処理装置を提供する。
【００５７】（２）  この生塵処理装置は構造が簡単で、何人でも簡単、容易に使用でき、しかも、支持台の中空基軸に垂直ガイド軸を挿入して係止ピン等の係止手段による係止で、垂直状に起立させ、この起立ガイド軸に攪拌具の中空軸を回転可能に挿入し、その頂部にハンドル軸の下部を挿入することにより、この生塵処理装置を組立て、その逆操作により、組立てた生塵処理装置を分解でき、何れの操作も、簡単、容易にできる。
【００５８】（３）  その上、併用する裁頭円錐状又は栽頭多角錘状若しくは筒状又は多角筒状等のコンポスタを、支持台上に起立する起立ガイド軸に回転可能に挿入した攪拌具の、中空軸の上部から被せることにより、生塵処理装置として使用可能にする。生塵の攪拌は、裁頭円錐状等の各種形状の、コンポスタの頂部開口の蓋を取り外して開放し、この頂部開口を通してハンドル軸を、中空軸の頂部に挿入した攪拌具の中空軸頂部に、係止ピン等の係止手段により取付け、ハンドルにより攪拌具を回転と昇降させて、当該コンポスタ内に投入された全領域の生塵を漏れなく攪拌、処理する。
【００５９】（４）  この生塵処理装置は、人手だけで生塵の攪拌、処理をすることができ、その操作が簡単であるとともに、その設置場所の選択自由度が高く、また、その分解、組付けの容易な生塵処理装置を構成する。
【００６０】（５）  この生塵処理装置の支持台、攪拌具、ハンドルを、ステンレス又は硬質プラスチック材製としたことにより、生塵の攪拌処理をしても錆難い構造で、生塵の攪拌処理に好適なものを提供できる。さらに、この生塵処理装置の実施により、一般家庭の調理場等から発生する生塵の堆肥化を著しく容易にし、その結果、一般家庭の調理場等から繰返し発生する生塵を、従来のように廃棄物として、塵収集車等により収集、処理する必要性を著しく減少させることができ、ひいては、地球環境の改善に貢献する。
【００６１】（６）  請求項２の考案によれば、当該生塵処理装置の回転、切断、攪拌等用の攪拌具周りを併用するコンポスタ内に常時装着し、必要に応じて、当該コンポスタ内にその頂部開口の蓋を開けてハンドルを挿入し、その下部を攪拌具に取り付けて回転、昇降、攪拌して必要な生塵処理を行える外、不使用のハンドルを適所に保管し、当該生塵処理装置周りの良好な閉塞管理を容易にする。
【００６２】（７）  請求項３の考案によれば、前記起立ガイド軸の下部に、当該起立ガイド軸を垂直状に起立させる起立状態確保手段を設けたことにより、当該起立ガイド軸を、その周りに配設するコンポスタとの直接的なかかわりの生じにくい設置を容易に行え、しかも、当該コンポスタ内における攪拌具の回転及び昇降操作をスムーズにする。
（８）  請求項４の考案によれば、攪拌具の攪拌板により、当該コンポスタ内に投入された全領域の生塵を漏れなく攪拌し、しかも、攪拌板の回転方向への捩れにより、強靭な植物繊維、硬く、大径、大量の生塵が投入された場合でも、無理なく裁断、攪拌し、併せて当該コンポスタの開放された頂部開口から新鮮な空気を、当該生塵の奥まで繰返し導入、接触させて、当該生塵の温度を上昇させ、その醗酵を促進して、臭気や虫の発生を抑制し、肥料化を促進する。
【００６３】（８）  請求項５の考案によれば、起立ガイド軸の下部を、適宜形状の金属板、硬質プラスチック板等の中央部の穴に取付けることにより、その垂直状起立状態を確保できる。しかも、その角形コンクリート板を、例えば、市販の敷石、一般家庭の庭等に散在する、角形敷石等を選択し、その中央部に穴を明けることにより、当該起立ガイド軸の垂直状起立状の確保手段として活用でき、この生塵処理装置を一層低コストで提供できる。
【００６４】（９）  請求項６の考案によれば、前記起立ガイド軸の下部を、当該起立ガイド軸の下部に設けた金属板、硬質プラスチック板の下面から下方へ適度に突出させたことにより、当該ガイド軸の当該生塵処理装置配設部への位置決めを正確に、しかも、当該起立ガイド軸の無理のない打ち込みを、一般家庭の主婦等でも無理なく、容易に行える。
【図面の簡単な説明】
【００６５】
【図１】  この考案に係る生塵処理装置の第１実施態様の正面図で、図１では説明の便宜上、攪拌具の中空軸頂部にハンドル軸下部を係止ピン止めしたものを略示した。
【図２】  生塵攪拌装置のハンドルの縦断面図で、図２ではハンドル軸下部の係止ピン取付け部を、同図２の同部位相を９０°ずらしたものを、別図で同時に略示した。
【図３】  生塵処理装置の支持台の正面図である。
【図４】  同支持台の平面図である。
【図５】  この考案に係る生塵処理装置の第２実施態様の正面図で、図５では説明の便宜上、攪拌具の中空軸頂部にハンドル軸下部を係止ピン止めした状態を略示した。
【図６】  角板状の起立状態確保手段を備える起立ガイド軸の正面図である。
【図７】  角板状の起立状態確保手段を備える起立ガイド軸の平面面である。
【図８】  円板状の起立状態確保手段を備える、起立ガイド軸（第２実施態様の変形例）の平面図である。
【図９】  下部に放射状攪拌板を備える中空軸の正面図で、図９では攪拌板の側面図を同時に別図で略示した。
【図１０】  放射状攪拌板の模式拡大側面説明図である。
【図１１】  この考案に係る生塵処理装置の第３実施態様の正面図で、図１１では説明の便宜上、攪拌具の中空軸頂部にハンドル軸下部を係止ピン止めした状態を略示した。
【図１２】  起立ガイド軸の起立状態確保手段として、正方形状コンクリート敷板をその下部に設けたものの、正面説明図である。
【図１３】  起立ガイド軸の起立状態確保手段として、角形（正方形状）コンクリート敷板を、その下部に設けたものの平面説明図である。
【符号の説明】
【００６６】１０……裁頭円錐状コンポスタ            １１……上部（裁頭円錐状コンポスタ）
１２……基部（裁頭円錐状コンポスタ）    １３……頂部（裁頭円錐状コンポスタ）
１４……段部（裁頭円錐状コンポスタ）    １５……基部開口（裁頭円錐状コンポスタ）
１６……頂部開口（裁頭円錐状コンポスタ）１７……頂部開口の蓋
２０……支持台（起立状態確保手段）      ２１……垂直リング状板
２２……中空基軸                        ２３……係止穴（中空基軸）
２４……垂直放射状アーム                ２５……係止ピン（スプリングピン付き）
２６……起立ガイド軸                    ３０……生塵攪拌具
３１……中空軸（生塵攪拌具）            ３２……中空穴（中空軸３１）
３３……係止ピン４５の係止穴            ３４……凹部（中空軸３１頂部）
３５……放射状アーム                    ３５Ａ……中空穴（放射状アーム３５）
３６……空気抜き穴（放射状アーム）      ３７……フォーク（生塵攪拌用）
３９……キャップ（中空軸３１頂部）      ４０……ハンドル（Ｔ状）
４１……ハンドルアーム（中空）          ４２……ハンドル軸（中空）
４３……止め具                          ４４……鎖
４５……係止ピン（ハンドルドル係脱用）  ４６……ハンドル４０の位置決めピン
４７……係止ピン４５の挿入穴          １００……起立状態確保手段（第２実施態様）
１００Ａ……起立状態確保手段（変形例）  １０１、１０１Ａ……起立ガイド軸
１０２……基部（起立ガイド軸１０１）    １０３……端部（垂直ガイド軸１０１）
１０５……角板                          １０５Ａ……円板
１０６……穴（角板１０５）              １０６Ａ……穴（円板１０５Ａ）
１１０……生塵攪拌具（第２実施態様）    １１１……中空軸（攪拌具１１０）
１１２……中空穴（中空軸１１１）        １１３……穴（係止ピン４５挿出用）
１１４……凹部（中空軸１１１頂部）      １１５……攪拌板
１１７……後縁部（攪拌板１１５）
１３０……起立状態確保手段（第３実施態様）
１３１……起立ガイド軸                  １３２……起立ガイド軸１３１下部
１３３……ワッシャ                      １３４……ナット
１３５……頂部（起立ガイド軸１３１）    １３６……コンクリート板
１３７……穴（コンクリート板１３６）    Ｄ１……起立ガイド軸２６直径
Ｄ２……中空穴３２穴径                  Ｄ３……ハンドル軸４２外径
Ｌ１……起立ガイド軸２６長さ            Ｌ２……中空軸３１の長さ
Ｌ３……攪拌フォーク３７高さ            Ｌ４……ハンドル軸４２長さ
Ｌ５……起立ガイド軸２６頂面とハンドル軸４２下面の間隔
Ｌ６……ハンドル４０昇降高さ（裁頭円錐状コンポスタ１１内の攪拌具３０）
Ｌ７……支持台２０上面と中空軸３１下端の間隔
Ｗ……裁頭円錐状コンポスタの埋め込み深さ
θ……攪拌板１１５の捩れ角              ＺＡ……生塵処理装置（第１実施態様）
ＺＢ……生塵処理装置（第２実施態様）    ＺＣ……生塵処理装置（第３実施態様）
【図１】
0003148285.tif 000003
【図２】
0003148285.tif 000004
【図３】
0003148285.tif 000005
【図４】
0003148285.tif 000006
【図５】
0003148285.tif 000007
【図６】
0003148285.tif 000008
【図７】
0003148285.tif 000009
【図８】
0003148285.tif 000010
【図９】
0003148285.tif 000011
【図１０】
0003148285.tif 000012
【図１１】
0003148285.tif 000013
【図１２】
0003148285.tif 000014
【図１３】
0003148285.tif 000015